(57)【特許請求の範囲】
【請求項１】
非撮影時にはカメラ本体内に固定鏡筒と沈胴レンズを備えた可動鏡筒とが収容され、撮影時には前記可動鏡筒が前記カメラ本体の前面に固定されたレンズリングを挿通して前方へ繰り出される沈胴式カメラおいて、
前記沈胴レンズを覆うレンズキャップが、直径方向に沿って対向して設けられたストッパーを有するキャップ本体と、前記キャップ本体の前面側を覆うように取り付けられるキャップカバーと、前記キャップ本体に、その直径方向に並んでスライド可能に組み込まれ、それらの中間に介装されたバネによってそれぞれは径外方へ付勢され前記ストッパーに当接して位置決めされており、かつその位置において前記レンズリングの内周面に係止される装着爪を備えた１組のスライダーと、前記レンズキャップに垂直な方向の外力を受けて、少なくとも一方の前記スライダーを押圧し、径内方へスライドさせて前記装着爪の係止を緩める押圧ブロックとからなる
ことを特徴とする沈胴式カメラ。
【請求項２】
少なくとも一方の前記スライダーの裏面には前記可動鏡筒側から見て径内方から径外方へ外開き傾斜の被押圧面を備えた被押圧部が形成されており、かつ前記押圧ブロックには前記被押圧面と摺り合う同様な傾斜の押圧面を備えた押圧部が設けられており、前記押圧ブロックによる前記レンズキャップに垂直な方向の押圧力の一部が前記押圧部と前記被押圧部との間の摺動によって径内方へ向かう力に変換され、少なくとも一方の前記スライダーが前記バネによる付勢に抗して径内方へスライドされ前記レンズリングへの前記装着爪部の係止が緩められる
ことを特徴とする請求項１に記載の沈胴式カメラ。
【請求項３】
前記押圧ブロックが、１組の前記スライダーのそれぞれに形成された前記被押圧部に対応する前記押圧部を備えた板形状の対称形押圧ブロックとして前記キャップ本体の裏面側に取り付けられたものである
ことを特徴とする請求項２に記載の沈胴式カメラ。
【請求項４】
前記押圧ブロックが、一端側で前記キャップ本体に回動可能に支持され、他端側には前記一方の前記スライダーに設けられた前記被押圧部に対応する前記押圧部を備えた非対称形押圧ブロックとして前記キャップ本体の裏面側に取り付けられたものである
ことを特徴とする請求項２に記載の沈胴式カメラ。
【請求項５】
前記押圧ブロックが、前記キャップ本体と独立した分離型押圧ブロックとして、少なくとも一方の前記スライダーの前記被押圧部に対応する前記押圧部が前記可動鏡筒の先端円周部に一体的に設けられたものである
ことを特徴とする請求項２に記載の沈胴式カメラ。
【請求項６】
前記レンズキャップの前記バネを除く構成要素の全てが合成樹脂の成形品で作製されており、前記キャップ本体に対する前記キャップカバーおよび前記押圧ブロックの取り付けが、前記キャップカバーまたは前記押圧ブロックに一体的に設けられた板状片を前記キャップ本体に形成された係合穴へ挿入して嵌め合わされたものである
ことを特徴とする請求項２に記載の沈胴式カメラ。
【発明の詳細な説明】
【０００１】
【発明の属する技術分野】
本発明は沈胴式カメラに関するものであり、更に詳しくは、沈胴レンズを覆うレンズキャップを有する沈胴式カメラに関するものである。
【０００２】
【従来の技術】
図６は沈胴レンズを備えた沈胴式カメラ１００を示す図であり、図６のＡは正面図、図６のＢは非撮影時の側面図、図６のＣは撮影時の側面図である。図６のＢに示すように、非撮影時には携帯に便なように、カメラ本体１０１内に固定鏡筒１０２と可動鏡筒１０３が収容されており、カメラ本体１０１の前面に固定されているレンズリング１０４にレンズキャップ１０が装着されて、非撮影時におけるレンズを保護している。なお、レンズキャップ１０はキャップ本体１１１の前面側にキャップカバー１１２が係合されて、キャップ本体１１１の前面を覆っている。また、図６のＡも参照して、キャップ本体１１１の側面には直径方向に対向してスライダー１２１が設けられており、両方の指掛け部１２２を手指で挟み持つことによってレンズキャップ１０が装着され脱着される。そして、撮影時には、レンズキャップ１０を取り外し、電源のスイッチをオンにすると、図６のＣに示すように可動鏡筒１０３がレンズリング１０４を挿通して撮影位置まで繰り出される。すなわち、沈胴レンズを備えた沈胴式カメラと称される謂われである。
【０００３】
図７は従来のレンズキャップの一例である上記のレンズキャップ１０からキャップカバー１１２を取り外したキャップ本体１１１を示す図であり、図７のＡはキャップ本体１１１の前面側の平面図、図７のＢは裏面側の（カメラ本体１０１側からの）平面図である。また、図８はキャップ本体１１１の側面図であり、上方をカメラ本体１０１側として示されている。図７のＡ、Ｂに示すように、キャップ本体１１１には、その両側から直径方向に２個のスライダー１２１が挿入されて組み込まれている。すなわち、図７のＢに示すキャップ本体１１１のＨ字形ブリッジ１１６と図７のＡに示すブリッジカバー１１７との間に板状のスライダ−１２１が両側から挿入されており、挿入先端側のコイルバネ係止部１２４に係止されたコイルバネ１２５によって、２個のスライダ−１２１はそれぞれ径外方へ付勢されている。
【０００４】
そして、図７のＢに示すように、スライダ−１２１にはコイルバネ係止部１２４の両側の爪脚１２６の先端部に係止爪１２７が設けられており、キャップ本体１１１に形成されているストッパー爪１１５に係止されることによりスライダ−１２１は位置決めされている。また、図８の側面図に明示するように、スライダー１２１には前面側に指掛け部１２２が設けられていると共に、裏面側にはレンズリング１０４の内周面に係止させる装着爪１２９が外向きに設けられている。更には、図９はキャップカバー１１２の裏面側の平面図であるが、裏面側に設けられた４個の挿入片１１３が、図７のＡ、Ｂに示すキャップ本体１１１に形成された４個の係合穴１１４に前面側から嵌め込まれて固定される。
【０００５】
図１０は図６に示した沈胴式カメラ１００の平面図であり、レンズリング１０４へのレンズキャップ１０の装着操作を示す図である。すなわち、最下段のレンズキャップ１０は両側のスライダー１２１がコイルバネ１２５によって外側へ付勢された未装着状態、中段のレンズキャップ１０は両側のスライダー１２１の指掛け部１２２を手指で挟んで径内方へスライドさせ、装着爪１２９を径内方へ移動させてレンズリング１０４内へ挿入せんとする状態、最上段のレンズキャップ１０は挿入後に手指を離してスライダー１２１を元の位置に復帰させると共に、装着爪１２９をレンズリングの内周面の係止溝１０９に噛み込ませて装着させた状態を示す。そして、レンズキャップ１１１をレンズリング１０４から取り外す場合には、上記とは逆の手順で行われる。すなわち、左右のスライダー１２１を手指で挟んで径内方へスライドさせ、レンズリング１０４の係止溝１０９への装着爪１２９の噛み込みを緩め、レンズリング１０４から引き抜くことによって脱着される。
【０００６】
上記のほか、カメラの電源スイッチのオン・オフによって自動的に開閉するレンズカバーを繰り出される鏡筒に一体的に取り付けたものがある。また、実用新案登録公報第２５３５０６８号公報には、レンズバリアとレンズフードとがユニット化されており、レンズフードの進退と連動してレンズバリアを開閉させるものが開示されている。
【０００７】
【発明が解決しようとする課題】
レンズリング１０４の先端部に装着されたレンズキャップ１０を撮影時に取り外すタイプの沈胴式カメラ１００においては、図６のＢに示す状態でレンズキャップ１０を取り外した後、電源スイッチをオンする正常な操作を行えば問題は発生しないが、レンズキャップ１０を装着したまま電源スイッチをオンさせるような正常でない操作が行われる場合がある。このような場合、レンズキャップ１０の装着力が大であるために、繰り出される可動鏡筒１０３の先端部がレンズキャップ１０の裏面側に当接した後も更に繰り出しが継続されることにより、可動鏡筒１０３の繰り出し機構に損傷を与えたり、可動鏡筒１０３の光軸を狂わせるようなトラブルを招きかねない。
【０００８】
本発明は上述の問題に鑑みてなされ、沈胴レンズを備えた沈胴式カメラにおいて、撮影に入る時に、レンズキャップが装着されている状態で電源スイッチがオンされ可動鏡筒が繰り出されても、その先端部がレンズキャップに当接し更に繰り出しが継続されることによって、レンズキャップのスライダーの装着爪の噛み込みによる係止が緩められ、遂には脱着されるレンズキャップを有する沈胴式カメラを提供することを課題とする。
【０００９】
なお、電源スイッチのオン・オフによって自動的に開閉するレンズカバーを一体的に取り付けたものは、開閉機構が複雑であり製造コストを増大させる。また、実用新案登録公報第２５３５０６８号に開示のレンズフードを前進後退させる操作によってレンズバリアを開閉させるユニットを、非撮影時にカメラ本体内に収容される可動鏡筒に取り付けることは困難である。
【００１０】
【課題を解決するための手段】
上記の課題は請求項１の構成によって解決されるが、その解決手段を説明すれば、請求項１の沈胴式カメラは、非撮影時にはカメラ本体内に固定鏡筒と沈胴レンズを備えた可動鏡筒とが収容され、撮影時には可動鏡筒がカメラ本体の前面に固定されたレンズリングを挿通して前方へ繰り出される沈胴式カメラにおいて、レンズキャップが、直径方向に沿って対向して設けられたストッパーを有するキャップ本体と、キャップ本体の前面側を覆うように取り付けられるキャップカバーと、キャップ本体に、その直径方向に並んでスライド可能に組み込まれ、それらの中間に介装されたバネによってそれぞれは径外方へ付勢され上記のストッパーに当接して位置決めされており、かつ付勢時にレンズリングの内周面に係止される装着爪を備えた１組のスライダーと、レンズキャップに垂直な方向の外力を受けて、少なくとも一方のスライダーを押圧し、径内方へスライドさせて装着爪の係止を緩める押圧ブロックとからなるものである。
このような沈胴式カメラは、沈胴レンズに装着されたレンズキャップが撮影時に電源スイッチのオンによって繰り出されてくる可動鏡筒の先端部で押圧されても、押圧ブロックを介して押圧力を受ける少なくとも一方のスライダーが径内方へスライドされて装着爪の係止が緩められる。
【００１１】
請求項１に従属する請求項２の沈胴式カメラは、少なくとも一方のスライダーの裏面には可動鏡筒側から見て径内方から径外方へ外開き傾斜の被押圧面を備えた被押圧部が形成されており、かつ押圧ブロックには被押圧面と摺り合う同様な傾斜の押圧面を備えた押圧部が設けられており、押圧ブロックによるレンズキャップに垂直な方向の押圧力の一部が押圧部と被押圧部との間の摺動によって径内方へ向かう力に変換され、少なくとも一方のスライダーがバネによる付勢に抗して径内方へスライドされて、装着爪によるレンズリングへの噛み込みを浅くし係止が緩められるものである。
このような沈胴式カメラは、沈胴レンズに装着されたレンズキャップが非撮影時には脱落の怖れなく装着され、撮影時には電源スイッチをオンすることによって繰り出される可動鏡筒の先端部がレンズキャップの押圧ブロックを押圧しても、押圧ブロックの押圧部がスライダーの被押圧部を押圧してスライダーを径内方へスライドさせてレンズキャップの係止を緩め、遂には手指によることなく脱着される。
【００１２】
請求項２に従属する請求項３の沈胴式カメラは、押圧ブロックが、１組のスライダーのそれぞれに形成された被押圧部に対応する押圧部を備えた板形状の対称押圧ブロックとして、キャップ本体の裏面側に取り付けられたものである。このような沈胴式カメラは、繰り出される可動鏡筒の押圧力が沈胴レンズに装着されたレンズキャップの１組のスライダーの押圧に均等に分散され、レンズキャップの直径方向に対向して存在する装着爪の係止を均等に緩める。
請求項２に従属する請求項４の沈胴式カメラは、押圧ブロックが、一端側でキャップ本体に回動可能に支持され、他端側には一方のスライダーに設けられた被押圧部に対応する押圧部を備えた非対称形押圧ブロックとしてキャップ本体の裏面側に取り付けられたものである。このような沈胴式カメラは、沈胴レンズに装着されたレンズキャップの押圧部と被押圧部との摺動が一か所で行われるので摺動抵抗が小さく、繰り出される可動鏡筒の押圧力が比較的小さくとも、一方の装着爪の係止を緩めて、レンズキャップの脱着を可能とする。
【００１３】
請求項２に従属する請求項５の沈胴式カメラは、押圧ブロックが、キャップ本体と独立した分離型押圧ブロックとして、少なくとも一方のスライダーの被押圧部に対応する押圧部が可動鏡筒の先端円周部に一体的に設けられたものである。このような沈胴式カメラは、沈胴レンズに装着されたレンズキャップの構成要素が簡略化されるほか、可動鏡筒の先端円周部の押圧部を円筒状に形成させてレンズフードと兼用させることを可能にする。
請求項２に従属する請求項６の沈胴式カメラは、レンズキャップのバネを除く構成要素が合成樹脂の成形品で作製されており、キャップ本体に対するキャップカバーおよび押圧ブロックの取り付けが、キャップカバーまたは押圧ブロックに一体的に設けられた板状片をキャップ本体に形成された係合穴へ挿入して嵌め込まれたものである。このような沈胴式カメラは、沈胴レンズに装着されたレンズキャップが軽量であるほか、板状片と係合穴との相対位置を厳密に設定し、挿入される板状片の弾性によって係合穴へ圧着させることも可能である。
【００１４】
【発明の実施の形態】
本発明の沈胴式カメラは、上述したように、沈胴レンズに装着されたレンズキャップがその直径方向に沿って対向して設けられたストッパーを有するキャップ本体と、キャップ本体の前面側を覆うように取り付けられるキャップカバーと、キャップ本体に、その直径方向に並んでスライド可能に組み込まれ、それらの中間に介装されたバネによってそれぞれは径外方へ付勢され上記のストッパーに当接して位置決めされており、かつその位置においてレンズリングの内周面に係止される装着爪を備えた１組のスライダーと、レンズキャップに垂直な方向の外力を受けて、少なくとも一方のスライダーを押圧し径内方へスライドさせて、装着爪による係止を緩める押圧ブロックとからなるものである。
【００１５】
すなわち、本発明の沈胴式カメラは、レンズキャップに垂直な方向に繰り出されてくる可動鏡筒によって、レンズキャップのスライダーを可動鏡筒の繰り出しの方向とは直角な径内方へスライドさせるような機構を必要とする。このような作用を有する機構としては、例えば上下方向に移動する主動部の偏形カムによって従動部を水平方向に移動させるもの、上下方向に移動する部材によってよってラックを回転させ、そのラックに噛み合うピニオンを水平方向に移動させるもの等があり、そのような作用を示す機構である限りにおいて、可動鏡筒とスライダーとの間にどのような機構を設けてもよい。しかし、最も簡易には、スライダーに可動鏡筒側から見て、径内方から径外方へ向かって外開き傾斜の被押圧面を備えた被押圧部を設けると共に、その被押圧面と摺り合う傾斜の押圧面を有する押圧ブロックを、スライダーと可動鏡筒との間に介在させることによって可能である。
【００１６】
被押圧面および押圧面の傾斜角度は４５度を中心して約３０度から約６０度までの範囲の角度を採用するのが実質的である。また上記の被押圧面および押圧面は平面であることが好ましいが、摺動抵抗を小さくするという点からは、平面であっても摺動面積は小とすることが望ましい。そのために、押圧ブロックをキャップ本体の裏面側に位置決めして取り付けることにより、被押圧面と押圧面とは常に位置ずれすることなく当接するようになる。そのほか、押圧面をレンズキャップに近い大きさの底面を有する仮想的な円錐の外周面を底面に平行に切断して得られる部分円錐面としてもよい。押圧面がその部分円錐面に整合する面とされることは言うまでもない。底面積の大きい円錐の外周面を使用するのは、摺動抵抗が大になり易い曲面を可及的に平面に近いものとするためである。
【００１７】
また一方のスライダーにのみ被押圧面を設けてもよい。レンズキャップは２個の装着爪でレンズリングに係止されるが、一方の装着爪の係止を緩めることによってもレンズリングは脱着されるからである。この場合には、被押圧面と押圧面との接触面積が１／２になること、また介装されているコイルバネの縮み長さも小で済むことから、比較的小さい押圧力で装着爪の係止を緩めることができる。この場合において、押圧ブロックがキャップ本体に位置決めして取り付けられたものとするには、押圧ブロックの一端側を回動可能に軸支し他端側に押圧面を設けることが好ましい。
【００１８】
押圧ブロックは、キャップ本体に取り付けるのではなく、可動鏡筒の先端円周部に、スライダーの被押圧面の傾斜に対応する傾斜の押圧面を持った押圧部材を取り付けた分離型押圧ブロックとしてもよい。この場合、レンズキャップの装着角度位置は任意であるから、被押圧面と押圧面を位置決め手段が必要になる。しかし、可動鏡筒の先端円周部に円錐の外周面を底面に平行に切断した部分円錐面を内周面に有するリング状押圧突起に設けることにより、上記の位置決め手段は不要になる。ただし、押圧面を部分円錐面による曲面とすると、スライダーの被押圧面も同様な部分円錐面とすることが望まれるが、勿論、平面状としてもよい。
【００１９】
上述したようなレンズキャップは如何なる材料によっても作製され得るが、重量および射出成形によって量産が可能は合成樹脂、中でも弾性が比較的大きい熱可塑性樹脂を採用することが好ましく、ポリプロピレン、ＡＢＳ樹脂、ポリアミド、ポリカーボネート、ポリフェイニレンサルファイド等が好適に使用される。すなわち、係合穴と、これに挿入する挿入片との位置関係をややきつ目に成形することにより、挿入片を係合穴に嵌め込み係合穴に圧着させて固定することが可能になる。
【００２０】
【実施例】
次に、本発明の沈胴式カメラを実施例によって図面を参照して具体的に説明する。
【００２１】
（実施例１）
図１は実施例１のレンズキャップ１の分解斜視図である。図１に示すようにレンズキャップ１はキャップ本体１１の前面側にキャップカバー１２が取り付けられ、キャップ本体１１の裏面側にはその直径方向にコイルバネ２５を介して２個のスライダー２１が並べて組み込まれる。そして押圧ブロック３１が、スライダー２１を覆うよう、キャップ本体１１の裏面側に取り付けられている。すなわち、キャップカバー１２は一体的に形成された４個の挿入片１３がをキャップ本体１１の上下の係合穴１４の周壁１４ａに接して挿入され嵌め込まれる。また、キャップ本体１１の周壁１８を対向して切り欠いた２個の切欠き１９からスライダー２１がそれぞれ挿入される。
【００２２】
２個のスライダー２１の中間にコイルバネ２５が介装されており、それぞれのスライダー２１は径外方へ付勢されている。また、各スライダー２１の中程にはストッパー穴２３が形成されており、図示されずとも、キャップ本体１１の裏面側に設けられた後述するストッパー１６が遊挿されて、スライダー２１が位置決めされる。また、スライダー２１の径外方の端部には前面側へ突出して指掛け部２２が設けられており、両方の指掛け部２２を手指で挟んでスライダー２１を径内方へスライドさせる。また、裏面側へ突出して、レンズキャップ１をカメラ本体１０１のレンズリング１０４に装着するための外向きの装着爪２９が設けられている。
【００２３】
押圧ブロック３１は、２個のスライダー２１を覆って、キャップ本体１１に取り付けられる。すなわち、上下に周方向に並んで設けられた各３個の挿入片３６が、キャップ本体１１の係合穴１４の周壁１４ｂに沿って挿入されて嵌め込まれる。なお、中央の挿入片３６にはガイド溝３６ｃが形成されており、キャップ本体１１の係合穴１４に設けられている突条１４ｃに対応する。また同様に、押圧ブロック３１の上下にはガイドピン３３が設けられており、キャップ本体１１のガイド孔１５へ挿入される。そして、２個のスライダー２１に対応する広幅の溝３４の両端部には、カメラ本体１０１側から見て、径内方から径外方へ外開きの傾斜角度４５度の傾斜面３７を備えた押圧突起３８が対向して設けられている。なお、傾斜面３７は面積を小さくするように輪郭的に形成されている。そして、これらの押圧突起３８は、スライダー２１の裏面側に設けられた同様な傾斜角度を有する傾斜面２７を備えた破線で示す被押圧部２８に対応するものである。上記の傾斜面２７は斜面穴２６に面して設けられている。そして、図示を省略した可動鏡筒が白抜き矢印の方向に繰り出されてくる。
【００２４】
そして、図２は、図６を援用して示すが、図６における［２］−［２］線方向の断面図に相当するものである。すなわち、図２はレンズキャップ１がカメラ本体のレンズリング１０４に装着された状態を、繰り出されてくる可動鏡筒１０３と共に示す。図２において、下からキャップカバー１２、その上は２個のストッパー１６が設けられたキャップ本体１１であり、その上面にはコイルバネ２５を介して連結され図面的には３つの部分に分かれて示されている各スライダー２１（左側上方から右側下方への傾斜線によるハッチ付け部分）が配されており左右の方向にスライドされる。すなわち、左側のスライダー２１について説明すれば、図１も参照して、コイルバネ係止部２４に続くストッパー穴２３の外側が４５度の傾斜面２７を備えた被押圧部２８となっている。また被押圧部２８に続く斜面穴２６の外側が指掛け部２２となっている。そして、ストッパー穴２３の径内方の壁面がストッパー１６に当接してスライダー２１が位置決めされる。また、指掛け部２２と反対側に突出して外向きの装着爪２９が設けられており、カメラ本体１０１のレンズリング１０４の内周面の係止溝１０９に噛み込んで装着される。
【００２５】
スライダー２１の上方には、押圧ブロック３１が取り付けられるが、その両端部にはスライダー２１の被押圧部２８の傾斜面２７に対応する傾斜面３７を備えた押圧突起３８が設けられている。すなわち、図２において白抜き矢印の方向へ繰り出されてくる可動鏡筒１０３によって押圧ブロック３１が押圧されると、左右の押圧突起３８の傾斜面３７が摺り合う被押圧部２８の傾斜面２７を径内方へ押してスライダー２１を矢印ｍで示すように径内方へスライドさせる。その結果、図３に示すように、スライダー２１に設けられている装着爪２９とレンスリング１０４の係止溝１０９との間が離隔される。すなわち、可動鏡筒１０３の繰り出しによって、レンズキャップ１の装着が緩められる。
【００２６】
（実施例２）
実施例１のレンズキャップ１は押圧ブロック３１が両側のスライダ−２１に設けられた被押圧部２８を押圧するものであるが、実施例２のレンズキャップ２は片側のスライダ−５１の被押圧部５８のみを押圧するようにしたものである。図４はそのようなレンズキャップ２が装着された状態を示す断面図であり、実施例１の図２に対応する図である。従って、重複する箇所の説明は可及的に省略し、実施例１のレンズキャップ１と異なる部分を詳しく説明する。
【００２７】
キャップカバー４２にストッパー４６が設けられており、キャップ本体４１のストッパー穴４７を貫通して、スライダー５１のストッパー穴５３まで挿通されている。そして、キャップ本体４１に沿ってスライドする２個のスライダー５１の中間にはコイルバネ５５が介装されており、図２の場合と同様に、各スライダー５１が図面上では３つの部分に分かれて示されている。すなわち、一方のスライダー５１はコイルバネ係止部５４と、コイルバネ係止部５４とはストッパー穴５３を挟んで傾斜面５７を有する被押圧部５８、更には被押圧部５８とは斜面穴５６を挟んで指掛け部５２および装着爪５９とからなる部分である。
【００２８】
押圧ブロック６１は、図４において右側の端部には押圧突起を持たず、キャップ本体４１の裏面側に設けられたピン４４に軸支されており矢印ｒで示す方向へ回動可能に取り付けられている。そして、左側の端部に傾斜面６７を有する押圧突起６８が設けられており、左側のスライダー５１の被押圧部５８の傾斜面５７を押圧するようになっている。すなわち、白抜き矢印で示す方向へ繰り出されてくる可動鏡筒１０３によって押圧ブロック６１が押圧されると、押圧ブロック６１はピン４４の回りに矢印ｒで示す下方へ回動され、押圧突起６８の傾斜面６７が左側のスライダー５１の被押圧部５８の傾斜面５７に沿って摺動して下降することによって、スライダー５１をコイルバネ５５に抗して矢印ｎで示すように径内方へスライドさせる。従って、レンズリング１０４の係止溝１０９におけるスライダー５１の装着爪５９の噛み込みが緩められる。
【００２９】
（実施例３）
実施例１、実施例２は繰り出されてくる可動鏡筒１０３が押圧ブロック３１または６１を押圧することによって、レンズリング１０４の係止溝１０９に対するレンズキャップ１または２の装着爪２９または５９の噛み込みを緩める場合を示したが、可動鏡筒１０３の先端円周部に設けた押圧部によってレンズキャップのスライダーの被押圧部を押圧するようにしてもよい。図５はそのようなレンズキャップ３がレンズリング１０４に装着された状態を示す断面図である。レンズキャップ３のうちのキャップ本体７１、キャップカバー７２、スライダー８１は、実施例２の図４に示すレンズキャップ２から押圧ブロック６１を除いたものと同様である。すなわち、キャップカバー７２にストッパー７６が設けられており、キャップ本体７１のストッパー穴７７を貫通して、スライダー８１のストッパー穴８３まで挿通されている。
【００３０】
また、キャップ本体４１に沿ってスライドする２個のスライダー８１の中間にはコイルバネ８５が介装されている。そして、図面上において、スライダー８１は３つの部分に分かれてしめされている。片側のスライダー８１について説明すれば、コイルバネ係止部８４、コイルバネ係止部８４とはストッパー穴８３を挟んで傾斜面８７を有する被押圧部８８、更には被押圧部８８とは傾斜穴８６を挟んで指掛け部８２および装着爪８９からなる部分である。そして、可動鏡筒１０３の先端円周部には、スライダー８１の被押圧部８８の傾斜面８７に対応する傾斜面９７を備えたリング状押圧突起９８が設けられている。
【００３１】
リング状押圧突起９８を設けているのは、例えば実施例１の場合には、キャップ本体１１に押圧ブロック３１が位置決めされて取り付けられているので、スライダー２１の被押圧部２８に対する押圧ブロック３１の押圧突起３８が位置ずれすることはないが、実施例３の場合には可動鏡筒１０３の先端円周部に対してレンズキャップ３の装着爪８９の角度位置は任意であり、実施例１における押圧突起３８と同様な対向する押圧突起を採用した場合には、押圧突起と被押圧部８８とが位置ずれを生ずるからである。その故に、リング状押圧突起９８の内周側の傾斜面は、円錐の外周面を水平に切り取って得られる部分円錐面としての曲面になっている。従って、対応するスライダー８１の被押圧部８８の傾斜面８７もそれに整合する曲面であることが望ましいが、平面であってもよいことは勿論である。
【００３２】
そして、図７に示すように、リング状押圧突起９８を備えた可動鏡筒１０３が繰り出されて、レンズキャップ３のスライダー８１の被押圧部８８の傾斜面８７上をリング状押圧突起９８の傾斜面９７が摺動して進むことによりスライダー８１は径内方へスライドされ、レンズリング１０４に対するレンズキャップ３の装着が緩められる。なお、リング状押圧突起９８は合成樹脂製として可動鏡筒１０３の先端部に螺着するようにしてもよく、またレンズリング１０４と一体的な金属製としてもよい。
【００３３】
実施例による本発明の沈胴式カメラは以上のように構成され作用するが、勿論、本発明はこれらに限られることなく、本発明の技術的思想に基づいて種々の変形が可能である。
【００３４】
例えば実施例１のレンズキャップ１においては（実施例２、３においても同様である）、スライダー２１の被押圧部２８の傾斜面２７と、押圧ブロック３１の押圧突起３８の傾斜面とを４５度の傾斜面としたが、４５度以外の傾斜角度であてもよい。例えば、押圧される傾斜の傾斜角度を６０度とすることによって、可動鏡筒１０３のストローク距離は大になるが、小さい押圧力によってスライダー２１をスライドさせることが可能である。また逆に可動鏡筒１０３の押圧力を大とし得る場合には、傾斜面２７の角度を例えば３０度として可動鏡筒１０３のストロークを小としてレンズキャップ１の取り外し得る。
【００３５】
また実施例１のレンズキャップ１においては（実施例２においても同様である）、押圧ブロックを円板形状としたが、押圧部を設け得る限りにおいて、円板形状以外の形状、例えば方形状としてもよい。
また実施例１においてはキャップ本体１１にストッパー１６を設け、実施例２においてはキャップカバー４１にストッパー４６を設けてキャップ本体４１へ突出させたが、このようにキャップ本体に設けるストッパーの設け方は限定されない。
また、実施例１、２のストッパー１６、４６は何れも突起状としたが、スライダーを位置決めし得るものである限り、その形状は限定されない。
【００３６】
また実施例３のレンズキャップ３においては、レンズキャップ側の被押圧部８８に対する可動鏡筒側の押圧突起の位置ずれを回避するために、可動鏡筒１０３の先端円周部にリング状押圧突起９８を設けたが、レンズリング１０４の係止溝１０９を、通常のように円周状に形成させるのではなく、部分的に形成させてレンズキャップ３の装着位置を限定することによっても、レンズキャップ３の被押圧部８８と可動鏡筒側の押圧突起の位置ずれを回避し得る。
また実施例３のレンズキャップ３は、キャップ本体７１に取り付けられた押圧ブロックを持たないので、露出するコイルスプリング８５に対するカバ−部材を適宜付加することを妨げるものではない。
【００３７】
【発明の効果】
本発明の沈胴式カメラは以上に説明したような形態で実施され次ぎに記載するような効果を奏する。
【００３８】
請求項１の沈胴式カメラによれば、繰り出されてくる可動鏡筒が装着されたままの沈胴レンズのレンズキャップの押圧ブロックに当接し押圧することによって、レンズリングの係止溝に装着されたレンズキャップの装着爪の噛み込みが緩められ、逐にはレンズキャップの装着が外れるので、可動鏡筒が装着されたままのレンズキャップに当接することによって可動鏡筒の繰り出し機構に損傷を与えたり、可動鏡筒の光軸を狂わせるようなトラブルの発生を回避することができる。請求項２の沈胴式カメラによれば、沈胴レンズに装着されたレンズキャップに垂直な方向の押圧力を受ける可動ブロックの押圧部の傾斜面がスライダーの裏面側の被押圧部の傾斜面を摺動することによって、スライダーを径内方へスライドさせるという簡易な機構によってレンズキャップの装着を緩めることができ、可動鏡筒の繰り出し機構や光軸にトラブルを発生させないレンズキャップを低コストで作製することができる。
【００３９】
請求項３の沈胴式カメラによれば、沈胴レンズに装着されたレンズキャップの１組のスライダーのそれぞれに形成されている被押圧部を共に押圧し得る対称押圧ブロックによってスライダーを押圧するので、押圧力が１組のスライダーに均等に効果的に分散されて、１組のスライダーが同時に径内方へスライドされ、両側の装着爪の係止が均等に緩められる。
請求項４の沈胴式カメラによれば、沈胴レンズに装着されたレンズキャップが一端側でキャップ本体に回動可能に支持され、他端側に押圧部を備えた非対称押圧ブロックによって片側のスライダーのみを押圧するものであるから、押圧部と被押圧部との摺動抵抗が小さく、繰り出される可動鏡筒の押圧力が比較的小さくとも、片側のスライダーの装着爪の係止を緩めての脱着が可能である。
【００４０】
請求項５の沈胴式カメラによれば、可動鏡筒の先端円周部に押圧部が設けられているので、沈胴レンズに装着されたレンズキャップのスライダーを押圧する構成が簡略化され、レンズキャップを低コスト化させる。
請求項６の沈胴式カメラによれば、沈胴レンズに装着されたレンズキャップはコイルバネ以外は合成樹脂の成形品が使用されているので軽量、低コストであり、かつキャップカバー、キャップ本体に対するキャップカバーや、押圧ブロックの嵌め込みによる取り付けを可能とする。
【００４１】
本発明の沈胴式カメラは、本来は、レンズキャップを装着したまま電源スイッチをオンするような正規でない手順で沈胴式カメラが操作される場合に発生するトラブルを救済するものであるが、レンズキャップを紐でカメラ本体に結び付けておくことにより、手指でレンズキヤップを取り外すという操作を省略して撮影操作に入るという使い方も可能になる。
【図面の簡単な説明】
【図１】実施例１のレンズキャップの分解斜視図である。
【図２】実施例１のレンズキャップの装着状態を示す断面図であり、図６の[２]ー[２]線方向の断面図に相当する図である。
【図３】同レンズキャップが可動鏡筒の押圧によって装着爪の係止が緩められた状態を示す断面図である。
【図４】実施例２のレンズキャップの装着状態を示す断面図である。
【図５】実施例３のレンズキャップの装着状態を示す断面図である。
【図６】従来例の沈胴式カメラを示す図であり、Ａは正面図、Ｂは非撮影時の側面図、Ｃは撮影時の側面図である。
【図７】従来例のレンズキャップのキャップ本体の平面図であり、Ａは前面側、Ｂは裏面側である。
【図８】同キャップ本体のの側面図である。
【図９】キャップカバーの裏面側の平面図である。
【図１０】レンズキャップの装着操作を示す沈胴式カメラの平面図である。
【符号の説明】
１……レンズキャップ、２……レンズキャップ、３……レンズキャップ、１１……キャップ本体、１２……キャップカバー、１６……ストッパー、２１……スライダー、２２……指掛け部、２５……コイルバネ、２７……傾斜面、２８……被押圧部、２９……装着爪、３１……押圧ブロック、３７……傾斜面、３８……押圧突起、４１……キャップ本体、４４……ピン、４６……ストッパー、５１……スライダー、６１……押圧ブロック、７１……キャップ本体、８１……スライダー、９８……リング状押圧突起、１００……沈胴式カメラ。
【図１】
0004337236.tif 000002
【図２】
0004337236.tif 000003
【図３】
0004337236.tif 000004
【図４】
0004337236.tif 000005
【図５】
0004337236.tif 000006
【図６】
0004337236.tif 000007
【図７】
0004337236.tif 000008
【図８】
0004337236.tif 000009
【図９】
0004337236.tif 000010
【図１０】
0004337236.tif 000011